(57)【特許請求の範囲】
【請求項１】
内部に一対の電極を備えた発光部と、該発光部の両端の封止部とからなる発光管と、前記封止部の端部に装着された口金とを有する放電ランプを梱包するために、外装箱体の内部に一対のランプ支持具を備えたランプ梱包箱において、
前記ランプ支持具は、前記発光管の封止部における口金より発光部側部分である露出部を支持するものであって、
該ランプ支持具は、緩衝性を有する分割構造のブロック状成形体よりなり、その中心に前記封止部露出部が挿入される貫通孔を備えており、
前記ブロック状成形体の下部成形体は、前記封止部露出部の外周を把持する固定部と、該固定部を支持する緩衝部とからなり、前記固定部は前記緩衝部よりも緩衝性が低いことを特徴とするランプ梱包箱。
【請求項２】
前記ランプ支持具は、前記ブロック状成形体の上部成形体が、前記封止部露出部の外周を把持する固定部と、該固定部を支持する緩衝部とからなり、前記固定部は前記緩衝部よりも緩衝性が低いことを特徴とする請求項１に記載のランプ梱包箱。
【請求項３】
前記ランプ支持具は、前記ブロック状成形体の上部成形体が、前記封止部露出部の外周を把持する固定部と、該固定部を支持する緩衝部とからなり、前記上部／下部固定部は緊縛帯を備え、該上部／下部固定部間に前記封止部露出部を挟持した状態で、上部／下部固定部を緊縛固定することを特徴とする請求項２に記載のランプ梱包箱。
【請求項４】
前記ランプ支持具は、前記上部／下部固定部は緊縛帯を備え、上部／下部固定部間に封止部露出部を挟持した状態で、上部／下部固定部を緊縛固定することを特徴とする請求項３に記載のランプ梱包箱。
【請求項５】
前記ランプ支持具の下部成形体においては、前記固定部が前記緩衝部に固定されているとともに、該下部成形体の固定部に、前記上部成形体の固定部が回動自在に取り付けられていることを特徴とする請求項３または４に記載のランプ梱包箱。
【発明の詳細な説明】
【技術分野】
【０００１】
この発明はランプ梱包箱に関し、特に、封止部に口金を設けたショートアーク型放電ランプのためのランプ梱包箱に係わるものである。
【背景技術】
【０００２】
発光物質として水銀が封入された超高圧水銀ランプや、キセノンガスが高圧に封入されたキセノンランプなどのショートアーク型放電ランプの一般的形状は、略球形の発光部の両端に枝状の封止部が連続して形成された発光管を備え、発光部の内部に陰極と陽極が対向配置されて構成される。発光管は、光透過性や耐熱性等の観点から、材質として石英ガラスが好適に使用され、密閉されたガラスの管の内部に、金属製の一対の電極が中空に支持された状態で配置される。
その一般的な構造が図１７に示されている。
ショートアーク型放電ランプ２０は、略球状の発光部２２と、その両端の封止部２３、２３とからなる発光管２１を有し、発光部２２の内部には一対の電極２４、２５が配置されている。そして、封止部２３、２３の端部には口金２６、２６が接着剤等により装着されている。
【０００３】
このようなショートアーク型放電ランプを輸送する際は、例えば、特開２００２−３７０７８４号公報（特許文献１）に開示されるような、特別にランプ用として形成された梱包箱に個装されて輸送される。
【０００４】
図１８、図１９は、特許文献１に開示されたランプ梱包箱の一例を説明する図である。図１８は、全体の斜視図であって、一部の構成を外部に取り出して展開した説明図。図１９は、その断面図であって、（Ａ）は図１８のＸ矢視図、（Ｂ）はそのＹ−Ｙ断面図である。
ランプ梱包箱３０は、外装箱体３１と、その内部に配設されたランプ支持具３２、３２とからなる。図１９（Ａ）に示されるように、該ランプ支持具３２は、側面視で略Ｍ字状をなし、ランプ支持面部３３は略Ｖ字状に形成されている。この従来技術においては、該ランプ支持具３２はダンボールからなるものであり、ランプ２０の口金２６部分を支持するものであって、ランプ２０がこのＶ字状支持面３３に挿入されると、ダンボールの中空緩衝部が口金２６の形状に適合するよう変形してこれを支持し、ランプ挿入方向の移動が規制されるものである。
【０００５】
ところで、近時においてはかかるショートアーク型放電ランプにおいても、光出力の増大の要請が増していて、定格消費電力が大きくなる傾向にある。このため、ショートアーク型放電ランプは、発光管全体が大きくなり、電極もまた大型化していて、ランプ全体の重量も重くなってきている。
このように大型化したランプを上記従来の梱包箱によって輸送すると、該梱包箱では、ランプ支持具によってランプの口金部分を支持する構造であるために、輸送時の振動や衝撃などによって曲げモーメントが大きく作用することになり、発光管にクラックが入ったり、更には破損に至ったりするという不具合が起きてきた。
【先行技術文献】
【特許文献】
【０００６】
【特許文献１】特開２００２−３７０７８４号公報
【発明の概要】
【発明が解決しようとする課題】
【０００７】
この発明が解決しようとする課題は、内部に一対の電極を備えた発光部と、該発光部の両端の封止部とからなる発光管と、前記封止部の端部に装着された口金とを有する放電ランプを梱包するために、外装箱体の内部に一対のランプ支持具を備えたランプ梱包箱において、ランプ輸送時の振動や衝撃によって発光管、とりわけ封止部に過大な負荷が掛からないようにして、該発光管の破損を防止することができる構造を提供することである。
【課題を解決するための手段】
【０００８】
上記課題を解決するために、この発明に係るランプ梱包箱では、前記ランプ支持具は、前記発光管の封止部における口金より発光部側部分である露出部を支持するものであることを特徴とする。
【０００９】
また、前記ランプ支持具は、緩衝性を有する分割構造のブロック状成形体よりなり、その中心に前記封止部露出部が挿入される貫通孔を備えていることを特徴とする。
また、前記ランプ支持具は、その下部成形体が、前記封止部露出部の外周を把持する固定部と、該固定部を支持する緩衝部とからなり、前記固定部は前記緩衝部よりも緩衝性が低いことを特徴とする。
また、前記ランプ支持具は、その上部成形体が、前記封止部露出部の外周を把持する固定部と、該固定部を支持する緩衝部とからなり、前記固定部は前記緩衝部よりも緩衝性が低いことを特徴とする。
また、前記ランプ支持具は、その上部成形体が、前記封止部露出部の外周を把持する固定部と、該固定部を支持する緩衝部とからなり、前記上部／下部固定部は緊縛帯を備え、該上部／下部固定部間に前記封止部露出部を挟持した状態で、上部／下部固定部を緊縛固定することを特徴とする。
また、前記ランプ支持具は、前記上部／下部固定部は緊縛帯を備え、上部／下部固定部間に封止部露出部を挟持した状態で、上部／下部固定部を緊縛固定することを特徴とする。
また、前記ランプ支持具の下部成形体においては、前記固定部が前記緩衝部に固定されているとともに、該下部成形体の固定部に、前記上部成形体の固定部が回動自在に取り付けられていることを特徴とする。
【００１０】
また、前記ランプ支持具は、緩衝性を有するブロック成形体からなり、該成形体には上面に開口するランプ封止部露出部の径よりも幅狭なスリットが形成され、該スリットの底部において前記封止部露出部の径と略同様な直径を有する支持開口が形成されていることを特徴とする。
【００１１】
また、前記ランプ支持具は、上下一対の成形体からなり、該成形体は略台形状断面の板状成形体であって、該板状成形体の水平面には凹部が形成されていて、該上下の成形体の凹部間で前記ランプの封止部露出部を挟持してなることを特徴とする。
【発明の効果】
【００１２】
この発明によれば、ランプ支持具によって、ランプの封止部における口金よりも発光部側部分である露出部を支持するようにしたので、ランプ支持部から発光部までの距離が小さくなって支持部に作用する曲げモーメントが小さくなり、輸送時の振動や衝撃に対しても十分な耐性があり、発光管にクラックなどの破損が生じることがなくなるという効果を奏するものである。
また、ランプ支持具が分割構造の成形体よりなるので、ランプの封止部を全周囲で保持することになり、万一、外装箱体の上下が逆になるようなことがあっても安全にランプを支持することができる。
【００１３】
また、前記ランプ支持具の下部成形体を、前記封止部露出部の外周を把持する緩衝性の低い固定部と、該固定部を支持する緩衝性の高い緩衝部とから構成したことにより、ランプ封止部が一体成形の成形体に直接支持される場合と比較して、ランプ重量による保管時の支持具の変形について、前記封止部露出部との接触部である固定部はその材料特性から抑制することができ、また、緩衝部は、固定部を介してランプを支えるため、力が分散され、抑制できる。よって、ランプ封止部が一体成形の成形体に直接支持される場合と比較して、同等以上の緩衝性を保ちながら、保管時においては上部成形体と封止部露出部との間のクリアランスを抑制することができる。
また、前記ランプ支持具の上部／下部成形体ともに、前記封止部露出部の外周を把持する緩衝性の低い固定部と、該固定部を支持する緩衝性の高い緩衝部とから構成したことにより、ランプの封止部露出部の全周を固定部で覆うことができ、その結果、ランプ保管時の梱包箱の向きによらず、ランプ支持具の変形を防止し、且つ緩衝性を高めることが可能となる。
【００１４】
また、前記ランプ支持具の上部／下部成形体における上部／下部固定部は緊縛帯を備え、該上部／下部固定部間に前記封止部露出部を挟持した状態で、上部／下部固定部を緊縛固定することにより、封止部と固定部とのクリアランスを最小限に抑えることができる。更には、落下衝撃が発生した瞬間には上部／下部緩衝部が変形するため、上部成形体と下部成形体の間にクリアランスが発生し、ランプがその瞬間に所定の位置からずれてしまう場合があるが、上部／下部固定部を緊縛固定することにより、発生するクリアランスの大きさに対して、緊縛固定した上部／下部固定部の大きさが十分大きいため、ずれが発生しにくくなる。
【００１５】
また、下部成形体の固定部に上部成形体の固定部を回動自在に取り付けたので、下部固定部上にランプの封止部を載置したのちに、上部固定体を回動して被せ、その後緊縛帯を締め付けることによって、簡単な操作によって容易にかつ堅固にランプを支持することができる。
【００１６】
また、前記ランプ支持具を構成するブロック成形体の上面に開口するランプ封止部より幅狭なスリットを形成し、その底部に支持開口を形成したので、ランプの封止部をこのスリットに圧入して底部の支持開口内に侵入させるという単純な操作のみによって、当該開口内でランプ封止部露出部を支持することができる。
【００１７】
また、前記ランプ支持具は、上下一対の略台形状断面の板状成形体からなり、該板状成形体の水平面に形成された凹部間で前記ランプの封止部露出部を挟持してなるので、断面台形状の成形体はその両脚部によって高い緩衝性と可撓性が得られて、ランプへの振動・衝撃が大幅に緩和される。
【図面の簡単な説明】
【００１８】
【図１】本発明の実施例の部分断面した全体斜視図。
【図２】図１の展開図。
【図３】図１の側断面図（Ａ）と、Ａ−Ａ断面図（Ｂ）。
【図４】ランプ支持具の他の実施例の断面図。
【図５】図４の実施例の要部の展開斜視図。
【図６】ランプ支持具の更に他の実施例。
【図７】ランプ支持具の更に他の実施例。
【図８】図７の実施例の展開斜視図。
【図９】図８の部分展開斜視図。
【図１０】図８の梱包手順説明図。
【図１１】図８の側断面図。
【図１２】更に他の実施例の断面図。
【図１３】ランプ支持具の更に他の実施例の断面図。
【図１４】他の実施例の断面図。
【図１５】更に別の実施例の断面図（Ａ）とＡ−Ａ断面図（Ｂ）。
【図１６】更に別の実施例の断面図（Ａ）とＡ−Ａ断面図（Ｂ）。
【図１７】従来の高圧放電ランプの部分断面図。
【図１８】従来のランプ梱包箱の斜視図。
【図１９】（Ａ）図１３のＸ矢視図、（Ｂ）そのＹ−Ｙ断面図。
【発明を実施するための形態】
【００１９】
図1に示されるように、本発明のランプ梱包箱１は、外装箱体２と、その内部に設けられたランプ支持具３とからなる。
このランプ支持具３は、緩衝性を有する材料、例えば、ポリエチレン、ポリウレタンなどの発泡プラスチック材料からなる、２分割構造の上部成形体４と下部成形体５とからなる。
そして、図２に示されるように、該上部成形体４および下部成形体５にはそれぞれ半割り状の貫通孔６ａ、６ｂが形成されていて、その両者で貫通孔６が形成されている。
この実施例では、同図に示されるように、ランプ支持具３の上部成形体４は外装箱２の開閉蓋２ａの裏面に接着剤などにより固着されている。下部成形体６の半割貫通孔６ｂ上にランプ２０が載置され、その後、前記蓋２ａを閉めると、上部成形体４が下部成形体５上に閉じられて、上部成形体４の半割貫通孔６ａと下部成形体５の半割貫通孔６ｂとで貫通孔６が形成され、該上部／下部成形体４、５間でランプ２０を挟持する。
このとき、図３に示すように、前記貫通孔６には、図１７で示す放電ランプ２０の封止部２３における口金２６よりも発光部２２側の部分である露出部（以下、「封止部露出部」という）２３ａが挿入されて、当該封止部露出部２３ａがランプ支持具３に支持される。
【００２０】
図４に、ランプ支持具３の他の実施例が示されていて、この実施例では、ランプ支持具３の下部成形体５が、固定部５ａと緩衝部５ｂとからなる。これらはともに緩衝性を有する材料から構成されるが、緩衝部５ｂのほうがより緩衝性が大きい材料から構成されている。
上記固定部４および緩衝部５を構成する緩衝性材料としては、発泡プラスチックが採用され、例えばポリエチレン、ポリプロピレン、ポリウレタンなどあり、好ましくはポリエチレンであるが、前記したように緩衝部５ｂのほうが固定部５ａよりも緩衝性のより大きな材料から選択される。
例えば、固定部５ａは、前記図１〜３の実施例の上下部成形体４、５と同等の緩衝材から形成され、緩衝部５ｂはそれより緩衝性の大きな材料、すなわちより柔らかい材料から構成される。
【００２１】
図５に、図４のランプ支持具３の実施例の部分展開図が示されている。
図において、上部成形体４には半割形状の円弧状の貫通孔６ａが形成され、一方、下部成形体５の固定部５ａには、半割り形状の円弧状貫通孔６ｂが形成されていて、この両者で貫通孔６が形成されている。
個装時には、ランプ２０の封止部２３の露出部２３ａが下部成形体５の円弧状貫通孔６ｂ上に載置され、その上方から上部成形体４の円弧状貫通孔６ａが被せられて、上部／下部成形体４、５間で露出部２３ａを支持するものである。
これにより、ランプ２０を下部成形体５の固定部５ａで支持するので、ランプの重量による下部成形体の沈み込み量を抑制して、上部成形体との間にクリアランスが生じることがなく、その封止部露出部２３ａを堅固に固定できる。
また、上部成形体４は緩衝性に富む材料で構成できて、ランプの封止部露出部２３ａの形状に的確にフィットして支持することができる。また、下部緩衝部５ｂと併せて振動・衝撃を吸収できる。
【００２２】
図６に、ランプ支持具３の他の実施例が示されていて、この実施例では、上部成形体４も、下部成形体５と同様に、固定部４ａと緩衝部４ｂとからなり、この緩衝部４ｂも固定部４ａより緩衝性の大きな材料からなる。
この実施例では、ランプ２０の封止部露出部２３ａの全周を固定部４ａ、５ａで固定することで該封止部露出部２３ａの固定が堅固になりかつ安定的となり、その固定部４ａ、５ａをこれより緩衝性に富む緩衝部４ｂ、５ｂで支持するので、輸送時の振動・衝撃を該緩衝部４ｂ、５ｂで吸収するようになり、ランプ２０に直接的に作用することを防止できる。
そのため、ランプ保管時の梱包箱の向きによらず、ランプ支持具の変形を防止し、且つ緩衝性を高めることが可能となり、輸送時にランプを立てた状態で搬送するような場合でも、全方位で堅固な支持ができて振動等でふら付き過ぎるようなことがない。
【００２３】
図７には、ランプ支持具３の更に他の実施例が示されている。この実施例では、上記図６に示す実施例における上下固体部４ａ、５ａの周囲に緊縛帯１０が設けられている。
図８以下にその詳細が示されている。
図８において、上部成形体４の固定部４ａと、下部成形体５の固定部５ａとを包みこむように、その外周面に緊縛帯１０が巻回されている。
図９にその展開図が示されていて、緊縛体１０は下部成形体５の固定部５ａの外周面に糊付けなどにより取り付けられ、該下部固定部５ａはこの緊縛体１０を挟んで下部緩衝部５ｂに固定されている。
一方、上部成形体４の固定部４ａは、前記下部成形体５の固定部５ａに回動自在に取り付けられている。この実施例では、前記緊縛帯１０に該上部固定部４ａが糊付けなどにより取り付けられていて、この緊縛帯１０によって前記下部固定部４ｂに対して回動自在となっている。勿論、他の手段によって回動自在に連結されていてもよい。
前記緊縛帯１０は、例えば熱可塑性樹脂から形成された厚さ１〜１５ｍｍ程度の中空構造板で構成されている。
そして、前記上部／下部固定部４ａ、５ａには半円弧状の貫通孔６ａ、６ｂが形成されていて、これら両半割形状の貫通孔６ａ、６ｂによって貫通孔６が形成されている。
【００２４】
この実施例での梱包手順が図１０に示されている。（Ａ）下部成形体５に対して上部成形体４の上部固定部４ａが回動展開されて開放状態にある。この下部固定部５ａの半割り貫通孔６ｂ上に、上方から、ランプ２０の封止部露出部２３ａを載置する（１）。
（Ｂ）そして、上部固定部４ａを回動して（２）、ランプ２０の封止部露出部２３ａを上方から押さえるように被せて、両固定部４ａ、５ａ間で封止部を挟持する。そして、緊縛帯１０を締めて両固定部４ａ、５ａを緊縛する（３）。なお、緊縛帯１０には、例えば、面ファスナーやスナップのような固着手段１１が設けられていて、緊縛帯１０は固定部４ａ、５ａをしっかりと緊縛する。
（Ｃ）その後、上部成形体４の上部固定部４ａの上方から緩衝部４ｂを被せるものである（４）。
【００２５】
こうしてランプ２０がランプ支持具３に支持された状態が、図１１に示されている。ランプ支持具３の上部／下部成形体４、５の上部／下部固定部４ａ、５ａ間には、ランプ２０の封止部露出部２３ａが挟持されて支持されている。
この実施例では、ランプ２０の封止部露出部２３ａを固定する固定部４ａ、５ａが、緊縛帯１０によって強固に緊縛されるので、ランプ２０の支持が極めて堅固になされるので、封止部露出部２３ａと固定部４ａ、５ａとのクリアランスを最小限に抑えることができる。更には、落下衝撃が発生した瞬間には上部／下部緩衝部４ｂ、５ｂが変形するため、上部成形体４と下部成形体５の間にクリアランスが発生し、ランプがその瞬間に所定の位置からずれてしまう場合があるが、上部／下部固定部４ａ、５ａを緊縛固定することにより、発生するクリアランスの大きさに対して、緊縛固定した上部／下部固定部４ａ、５ａの大きさが十分大きいため、ずれが発生しにくくなる。
そして、輸送時等における振動は上部／下部緩衝部４ｂ、５ｂによって吸収緩和されて、ランプ２０に直接的に作用することがない。
【００２６】
ところで、上記の図7に示す実施例において、上部成形体４の固定部４ａは必ずしも下部固定部５ａと同様の硬さとする必要はなく、その実施例が図１２に示されている。
即ち、図１２において、上部成形体４の固定部４ａは、緩衝部４ｂと同一材料からなっている。この場合にも、前記上部／下部固定部４ａ、４ｂの周囲は緊縛帯１０によって緊縛されている。
これにより、上部固定部４ａは柔らかい緩衝性を有するので、ランプの封止部露出部２３ａの形状に沿って良くフィットして緊縛帯１０により締め付けられることになる。
【００２７】
図１３に他の実施例が示されている。図６〜１２に示す上記実施例においては、ランプ支持具３における上部／下部固定部４ａ、５ａはランプ２０の封止部露出部２３ａのみを覆うように設けられたものを示したが、図１３のものでは、該固定部４ａ、５ａは、封止部露出部２３ａのみでなく、口金２６をも含めて封止部２３全体を覆うようにしたものである。なお、この実施例でも、ランプ２０の支持手段としての緩衝部４ｂ、５ｂは当該ランプ２０の封止部露出部２３ａを支持するものであることは変わらない。
こうすると、上部／下部固定部４ａ、５ａによって、ランプ２０の封止部端が口金２６を含めて覆われるので、これらの部位が全体に保護されることになる。
【００２８】
図１４には更に他の実施例が示されている。この実施例の場合、ランプ２０の一方の封止部２３には冷却風が該封止部２３に当たらないように風防具１３が取り付けられる構成が採用されている。
この実施例では、当該風防具１３が取り付けられている側の封止部２３においては、露出部が事実上存在しなくなるので、他側の封止部露出部２３ａをランプ支持具３で支持し、風防具１３が設けられた側では、口金２６で支持するようにしたものである。
この場合でも、少なくとも封止部露出部２３ａで支持する側では、支持点（ランプ支持具３）から発光部２２までの距離が従来技術よりも小さくなり、振動・衝撃に対する耐性が大きくなる。
【００２９】
上記図１〜１４の実施例においては、ランプ支持具３は分割構造のブロック成形体からなるものを説明したが、図１５には該ブロック成形体が分割構造ではなく、一体構造であるものが示されている。
図１５において、ランプ支持具３を構成する緩衝性を有するブロック成形体は、一体構造であって、その上面３ａに開口するスリット１５が形成されている。該スリット１５は、放電ランプ２０の封止部露出部２３ａの径よりも幅狭く形成され、その底部において、前記封止部露出部２３ａの径とほぼ同等の支持開口１６が形成されている。
ランプ２０を個装する場合、封止部露出部２３ａをスリット１５内に押圧するように挿入し、底部の支持開口１６内に押しこむことにより支持するものである。
【００３０】
また、ランプ支持具３はブロック成形体によらず、例えばＰＥＴなどの板状体からなっていてもよく、図１６にその実施例が示されている。
図１６において、ランプ支持具３は、上下一対の成形体１７、１７からなり、該成形体１７は略台形状断面の板状成形体であって、該板状成形体の水平面１７ａには凹部１８が形成されている。
ランプ２０の封止部露出部２３ａは、この上下の成形体１７、１７の凹部１８、１８の間で支持される。
この場合、下方成形体１７の両脚部１９が個装箱２の底部に立脚され、当該上方成形体１７の凹部１８に封止部露出部２３ａを載置した状態で、上方成形体１７の両脚部１９が個装箱２の蓋２ａによって下方に押し付けられ、封止部露出部２３ａを両成形体１７、１７の凹部１８、１８間で挟持するものである。
なお、この凹部１８は断面半円弧状のものを示したが、これに限られず、例えば、断面Ｖ字状、台形状などであってもよい。
【００３１】
以上説明したように、本発明のランプ梱包箱においては、外装箱体内のランプ支持具が、ランプの発光管の封止部における口金より発光部側部分を支持するものであるので、ランプを口金部分で支持する従来技術に比べて、当該封止部に作用する曲げモーメントを最少化することができて、封止部でのクラックや破損といったダメージを大幅に減らすことができるという効果を奏する。
また、ランプ支持具を緩衝性を有する分割構造のブロック状成形体より構成し、その中心に前記封止部が挿入される貫通孔を備えたものとすることにより、前記ランプの封止部の支持が極めて容易にできる。
また、ランプ支持具を固定部と、これより緩衝性に富む緩衝部とから構成することにより、ランプ封止部の固定はしっかりと堅固に行い、緩衝部によって全体として緩衝性を持たせて、振動や衝撃を吸収できてランプに直接的に作用することを防止できる。
また、緊縛帯を設けて上部／下部成形体を堅固に緊縛できて、振動・衝撃でこれら上部／下部成形体が分離してランプの支持が不確実になることもない。
更には、ランプ支持具を一体構造のブロック成形体により構成し、該成形体にスリットと支持開口を設ける構成とすることにより、ランプの封止部を前記スリットに押し込むだけというきわめて簡単な操作で支持することができる。
更に、ランプ支持具を台形状の板状成形体によって構成することにより、その両脚部によって高い緩衝性と可撓性が得られて、ランプへの振動・衝撃が大幅に緩和される。
【符号の説明】
【００３２】
１      ランプ梱包箱
２      外装箱体
３      ランプ支持具
４      上部成形体
４ａ    固定部
４ｂ    緩衝部
５      下部成形体
５ａ    固定部
５ｂ    緩衝部
６      貫通孔
１０    緊縛帯
１１    固着手段
１３    風防具
１５    スリット
１６    支持開口
１７    台形状板状成形体
１８    凹部
１９    脚部
２０    放電ランプ
２１    発光管
２２    発光部
２３    封止部
２６    口金
【図１】
0005541536.tif 000002
【図２】
0005541536.tif 000003
【図３】
0005541536.tif 000004
【図４】
0005541536.tif 000005
【図５】
0005541536.tif 000006
【図６】
0005541536.tif 000007
【図７】
0005541536.tif 000008
【図８】
0005541536.tif 000009
【図９】
0005541536.tif 000010
【図１０】
0005541536.tif 000011
【図１１】
0005541536.tif 000012
【図１２】
0005541536.tif 000013
【図１３】
0005541536.tif 000014
【図１４】
0005541536.tif 000015
【図１５】
0005541536.tif 000016
【図１６】
0005541536.tif 000017
【図１７】
0005541536.tif 000018
【図１８】
0005541536.tif 000019
【図１９】
0005541536.tif 000020